(57)【要約】【課題】  特定の相手先からの用件メッセージを即座に聴取可能な留守番電話装置を提供する。【解決手段】  用件メッセージがあると（Ｓ０２ステップ）、予め設定した宛先に用件メッセージを格納した旨と用件メッセージに対応する番号とを記載したメール本文を送信し（Ｓ０４ステップ）、続いて応答メッセージ送出中にメール送信先から遠隔操作で番号の入力があると、番号に対応する用件メッセージを再生する（Ｓ０５〜Ｓ０８ステップ）。【選択図】  図５
2010028155.tif 000002
【特許請求の範囲】
【請求項１】
回線からの用件メッセージを受信し保存可能な留守番電話装置であり、
回線からの用件メッセージを受信後に用件メッセージがあることを示すメッセージと前記用件メッセージを指定する情報とを予め設定した相手先に通知することを特徴とする留守番電話装置。
【請求項２】
回線からの用件メッセージを受信し保存可能な留守番電話装置であり、
回線からの用件メッセージを受信後に用件メッセージがあることを示すメッセージと前記用件メッセージを指定する情報とをメールデータとして予め設定した相手先に通知することを特徴とする留守番電話装置。
【請求項３】
回線からの用件メッセージを受信し保存可能な留守番電話装置であり、
回線からの用件メッセージを受信後に用件メッセージがあることを示すメッセージと前記用件メッセージを指定する情報とを音声データとして予め設定した相手先に通知することを特徴とする留守番電話装置。
【請求項４】
回線からの用件メッセージを受信し保存可能な留守番電話装置であり、
前記留守番電話装置は、回線からの用件メッセージを受信する用件メッセージ受信手段と、当該用件メッセージ受信手段が受信した用件メッセージを格納する用件メッセージ格納手段と、格納した用件メッセージを指示する番号が付加されたメールを作成するメール作成手段と、当該メール作成手段により作成したメールを送信するメール送信手段と、制御手段と、を有し、
前記制御手段は、前記用件メッセージ受信手段が用件メッセージを受信し、受信した用件メッセージが前記用件メッセージ格納手段に格納されたと判定すると、受信した前記用件メッセージを指示する番号を付加したメールを自動的に前記メール作成手段に作成させると共に、当該作成したメールを送信するよう前記メール送信手段を制御する、ことを特徴とする留守番電話装置。
【請求項５】
請求項４に記載の留守番電話装置であり、
更に、着信に応じて相手側に応答メッセージを送信する応答メッセージ送信手段と、前記用件メッセージを指示する番号を受信する指示番号受信手段と、用件メッセージ送信手段と、を有し、
前記制御手段は、前記応答メッセージ送信手段が応答メッセージを送信している最中又は、前記応答メッセージ送信後に前記指示番号受信手段が用件メッセージを指示する番号を受信したと判定すると、前記指示番号に対応する用件メッセージを前記用件メッセージ格納手段から読込み、前記相手側に送信するように前記用件メッセージ再生手段を制御することを特徴とする留守番電話装置。
【発明の詳細な説明】
【技術分野】
【０００１】
本発明は、発呼側からの用件メッセージを録音可能な留守番電話装置に関する。
【背景技術】
【０００２】
従来の留守番電話装置では、留守番電話機能をオン設定した状態で着信があると、所定回数の着信音が鳴動した後に自動的に回線が繋がり、留守番電話装置内部に格納されている応答メッセージ（例えば、「只今でかけております。ピーッという音の後にメッセージを入れてください。」）とピーッという発信音を回線に送出した後に、発呼側からの用件メッセージを録音するといった動作を行う。
又、用件メッセージを録音した日時のデータが音声或いは文字データとして、用件メッセージに対応付けてメモリに格納され、用件メッセージは回線から入ってきたものから順にメモリに格納される（特許文献１参照）。
この為、ユーザが帰宅後、或いは携帯電話等から遠隔操作で録音された用件メッセージを再生し聴取する際には、最も新しく録音した用件メッセージか或いは最も古く録音した用件メッセージから順に用件メッセージが再生される。尚、用件メッセージを再生中にユーザは特定のキー操作を行うことにより、次の用件メッセージに再生を切り替えたり、前の用件メッセージに再生を切り替えることができる。
又、ユーザが遠隔操作で録音された用件メッセージを聴取する際には、ユーザが携帯電話装置等から留守番電話装置に呼び出しを行い、回線接続後応答メッセージが再生されている最中にユーザがテンキーを用いて所定の暗証番号を入力することにより、遠隔操作により用件メッセージを再生できる。尚、ユーザが直接留守番電話装置を操作することにより用件メッセージを聴取する場合と同じキー操作により、次の用件メッセージの再生や前の用件メッセージの再生を行うこともできる。
【０００３】
更に、留守番電話装置に用件メッセージが入ると、自動的に用件メッセージから所定の宛先（例えば携帯電話）に自動的に電話発呼を行い、用件メッセージが入った旨を携帯電話等のユーザに知らせる機能も存在する。この場合、携帯電話のユーザは留守番電話装置からの着信後、留守番電話装置に発呼を行い、上述したような遠隔操作を行うことにより、用件メッセージを聴取することが可能である。
【０００４】
又、留守番電話に用件メッセージが記憶されると、記憶された用件メッセージを音声データに変換し、変換された音声データをメールに添付して送信する技術が提案されている（特許文献２）。
【特許文献１】特開平９−２１４５９８号公報（段落００６６）
【特許文献２】特開２００３−２８３６０６号公報
【発明の開示】
【発明が解決しようとする課題】
【０００５】
前述した留守番電話装置においては、用件メッセージを再生する際に録音した順番に再生される為、ユーザが特に早く聞きたいと思う特定の相手先からの用件メッセージを直ちに聞くことができない。
又、特許文献２に記載の技術では、用件メッセージを音声データに加工する構成（特許文献２でいう音声加工手段）が必要となる。その結果、装置のコスト高を招くこととなる。
【課題を解決するための手段】
【０００６】
前記課題を解決するために、本願の請求項１にかかる発明は、回線からの用件メッセージを受信し保存可能な留守番電話装置であり、回線からの用件メッセージを受信後に用件メッセージがあることを示すメッセージと前記用件メッセージを指定する情報とを予め設定した相手先に通知することを特徴とする。
請求項２に記載の発明は、回線からの用件メッセージを受信し保存可能な留守番電話装置であり、回線からの用件メッセージを受信後に用件メッセージがあることを示すメッセージと前記用件メッセージを指定する情報とをメールデータとして予め設定した相手先に通知することを特徴とする。
請求項３に記載の発明は、回線からの用件メッセージを受信し保存可能な留守番電話装置であり、回線からの用件メッセージを受信後に用件メッセージがあることを示すメッセージと前記用件メッセージを指定する情報とを音声データとして予め設定した相手先に通知することを特徴とする。
請求項４に記載の発明は、回線からの用件メッセージを受信し保存可能な留守番電話装置であり、前記留守番電話装置は、回線からの用件メッセージを受信する用件メッセージ受信手段と、当該用件メッセージ受信手段が受信した用件メッセージを格納する用件メッセージ格納手段と、格納した用件メッセージを指示する番号が付加されたメールを作成するメール作成手段と、当該メール作成手段により作成したメールを送信するメール送信手段と、制御手段と、を有し、前記制御手段は、前記用件メッセージ受信手段が用件メッセージを受信し、受信した用件メッセージが前記用件メッセージ格納手段に格納されたと判定すると、受信した前記用件メッセージを指示する番号を付加したメールを自動的に前記メール作成手段に作成させると共に、当該作成したメールを送信するよう前記メール送信手段を制御することをとくちょうとする。
請求項５に記載の発明は、請求項４に記載の留守番電話装置であり、更に、着信に応じて相手側に応答メッセージを送信する応答メッセージ送信手段と、前記用件メッセージを指示する番号を受信する指示番号受信手段と、用件メッセージ送信手段と、を有し、前記制御手段は、前記応答メッセージ送信手段が応答メッセージを送信している最中又は、前記応答メッセージ送信後に前記指示番号受信手段が用件メッセージを指示する番号を受信したと判定すると、前記指示番号に対応する用件メッセージを前記用件メッセージ格納手段から読込み、前記相手側に送信するように前記用件メッセージ再生手段を制御することを特徴とする。
【発明の効果】
【０００７】
本発明によれば、留守番電話装置が用件メッセージを記憶すると、用件メッセージを受信した旨と記憶した用件メッセージを指定する番号とを所定の宛先にメール送信する為、メールを受信したユーザは、遠隔操作により用件メッセージを聴取する際にメールに記載している番号を入力することにより、入力した番号に対応する用件メッセージを即座に聴取することが可能である。この為、従来のように新しいものから（或いは古いものから）記憶された用件メッセージを順番に再生する必要がなく、緊急のメッセージやユーザが即座に聞きたい相手先の用件メッセージを直ちに聴取することが可能である。
【発明を実施するための最良の形態】
【０００８】
以下、本発明の具体例を実施例及び図面を用いて詳細に説明する。但し、以下に示す実施例は、本発明の技術思想を具体化するための留守番電話装置（本実施例では、留守番電話機能を有するコードレス電話装置を例示している）であって、本発明をこのコードレス電話装置に特定することを意図するものではなく、特許請求の範囲に含まれるその他の実施形態の留守番電話装置にも等しく適用し得るものである。
【実施例１】
【０００９】
図１は、本発明の実施例１にかかるコードレス電話装置１０の外観を示す図である。以下の実施例１においては、コードレス電話装置１０において、留守番録音機能の設定有無と特定の子機に対する着信があった場合の動作について説明する。
コードレス電話装置１０は親機２０と子機３０とが無線で接続された構成となっており、子機３０から親機２０を介して通話の受信、発信が行えるようになっている。このコードレス電話装置１０はアナログコードレス電話装置、デジタルコードレス電話装置の何れであってもよく、また、ＩＰ電話システムの端末装置であってもよい。
【００１０】
親機２０には着信時に、ユーザが留守中であり親機２０または子機３０で応答ができない場合に、発呼側からの用件メッセージを録音する、所謂留守番電話機能が備えられている。
親機２０は、図２のブロック図に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
電話回線制御部２１は公衆回線Ｎからの着信、公衆回線Ｎへの発信を制御するものであり、着信検出、ダイアルトーン検出などを行う。又、発呼側からの電話番号のデータを検出する機能やメールデータを送受信する機能も有している。
音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話装置１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。尚、本実施例では、操作・表示部２６を１つのブロックで説明しているが、操作部と表示部を夫々別のブロックとしても良いことは言うまでもない。
メモリ２７は例えばフラッシュメモリからなり、制御部１４が動作するために必要なシステムプログラムや、電話帳データ（名前、電話番号、メールアドレス等を対で相手先毎に複数格納可能）、送受信メールのデータ等が格納されている。又、このフラッシュメモリに応答メッセージ（例えば、「只今でかけております、ピーッという発信音のあとにメッセージを入れてください」）や用件メッセージも格納可能である。更に、メモリ２７には、後ほど詳細に説明するが、用件メッセージを受信したことを示すメールを送信する相手先の情報も格納する。
用件メッセージのデータは、例えば図４に示すように、相手先の氏名、電話番号、用件メッセージを録音した時刻、用件メッセージの音声データ（図示せず）を対応付けて複数格納可能である。又、この用件メッセージは回線から入ってきた順番に格納され、最も古い用件メッセージはアドレス４の佐々木花子さんからの用件メッセージであり、最も新しい用件メッセージはアドレス１の嶋田太郎さんからの用件メッセージである。
また、親機２０において制御部２４は通信圏判別手段２４１を備えており、親機２０が子機３０を呼び出した際に、通信圏判別手段２４１は、該当する子機３０が親機２０と無線通信可能な通信圏内にあるか否かを判別する。子機３０が通信圏内にあり親機２０からの呼出し信号に対する応答信号を送信し、親機２０がこれを受信したならば子機３０に着信を接続する。
【００１１】
次に子機３０について説明する。
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部動作を制御するプログラムを記憶しており、制御部３４が親機２０と通信するためのプログラムなども書き込まれている。ＲＡＭには制御部３４の動作に必要な情報を記憶する。
音声信号処理部３２は受話音声信号を処理してマイク・スピーカ部３５を介して出力し、あるいは、マイク・スピーカ部３５を介して入力された送話音声を処理して音声信号に変換して送出する。無線部３３はアンテナ３８を介して親機２０との間で発信信号、送話音声信号、受信音声信号を通信する。
操作・表示部３６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示して子機３０の種々の機能設定をすることができる。操作・表示部３６には子機３０に対する留守番録音が親機２０の録音・再生ユニット２９に残されているか否かを表示し、再生を要求する確認ボタンを表示する留守録表示領域３６１が設けられている。従って、子機３０の利用者は領域３６１に留守録表示があれば確認ボタンを操作して、録音・再生ユニット２９に録音されているメッセージを再生して聞くことができる。
【００１２】
メモリ３７には子機３０の各種機能の設定状況が記憶される他、ユーザが入力する電話帳、短縮ダイヤルの登録情報を記憶することができる。また、着信音切り替え機能を使用する場合には、子機３０側で直接着信音を再生出力できるように音源データが記憶される。この音源データには、親機２０から着信信号とともに送信される識別符号が対応付けられて記憶される。各着信音の音源データは、各種リムーバブル記録媒体から入力したり、他の機器で再生した音源データを録音して入力したりすることができる。
このような構成のコードレス電話装置において、本実施例装置では、親機２０に用件メッセージが格納されると、親機２０は自動的に図６に示すような用件メッセージを録音したことを示すメールを予め設定した相手先に送信する。尚、このメール本文には図４に示す用件メッセージのアドレス番号も記載されている。このメールを受信したユーザ（例えば携帯電話のユーザ）は、メールを送信してきた親機２０に対して発呼をかけ、応答メッセージの再生中（或いは応答メッセージの再生後）に暗証番号を入力し、続いてメール本文に記載されていたアドレス番号を入力することにより、即座にアドレス番号に対応する用件メッセージを聴取することが可能である。
図５は、本実施装置であるコードレス電話装置１０の親機２０における動作手順を示すフローチャートである。図５のフローチャートにおいて、予め留守番電話設定はオンされているものとする。Ｓ０１ステップの処理において親機２０の制御部２４は、回線Ｎからの着信があると判定すると、Ｓ０２ステップへ処理を進める。
Ｓ０２ステップでは、制御部２４は回線からの用件メッセージのメモリ２７への格納を開始する。具体的には、所定回数の着信音の鳴動後に回線を自動的に接続し、メモリ２７に格納されている応答メッセージとビープ音を回線Ｌに送出し、続いて回線Ｌからの用件メッセージをメモリ２７へ格納する。例えば、図４に示す嶋田太郎さん（電話番号０８５７−００−１１１０）からの用件メッセージをアドレス１の領域に格納する。尚、用件メッセージの格納後に回線Ｌを開放し、待機状態になる。
Ｓ０３ステップでは、制御部２４は、図６に示すように、件名が留守録音通知であるメール本文に、録音日時、相手先番号、相手先名、アドレス番号を記載したメールを自動的に作成し、Ｓ０４ステップで、メモリ２７に予め格納した相手先へメール送信するように、電話回線制御部２１を制御する。例えば、図６に示すように、嶋田太郎さんからの用件メッセージがアドレス１番に格納されたことが記載されたメール本文をメール送信する。
Ｓ０５ステップでは、制御部２４は、回線Ｎからの着信があると判定すると、Ｓ０６ステップへ処理を進める。
Ｓ０６ステップ、Ｓ０７ステップでは、制御部２４は、着信音鳴動後の回線へ応答メッセージを送出中或いは送出後に予め定められた４桁の暗証番号のＤＴＭＦ音の入力が回線からあると判定すると、Ｓ０８ステップで遠隔操作の動作に入る。この場合、発呼側からのＤＴＭＦ音に応じて用件メッセージの再生、停止、等が行われる。尚、Ｓ０７ステップで暗証番号を受信しなければ、Ｓ０２ステップに戻り用件メッセージの録音を開始する。
Ｓ０８ステップの遠隔操作の動作を具体的に説明すると、制御部２４は、暗証番号の入力に続いてアドレス１（この場合、テンキーの１に対応するＤＴＭＦ信号）が回線Ｎから入力されたと判定すると、アドレス１に対応する用件メッセージ、即ち、図４の嶋田太郎さんの用件メッセージをメモリ２７から読み出し回線Ｎに送出する。尚、このとき例えばアドレス２（この場合、テンキーの２に対応するＤＴＭＦ信号）を回線から検出するとアドレス２に対応する田中一郎さんの用件メッセージをメモリ２７から読み出し回線Ｎに送出する。
このように、本実施例装置では留守番電話装置のメモリ２７に用件メッセージが格納されると、用件メッセージを格納したことのメッセージと、用件メッセージの送信元の情報、アドレスの番号が記載されたメールを自動的に予め設定した相手先に送信する為、このメールを受信したユーザは、留守番電話装置に発呼をかけ、遠隔操作でアドレス番号を入力することにより、アドレス番号に対応する用件メッセージを直ちに聴取することが可能である。
【００１３】
又、本実施例では留守番電話機能付きコードレス電話装置について実施したが、これに限らず、留守番電話機能を有する電子機器であれば他の電子機器にも本発明を適用することが可能である。他の電子機器の一例として、例えば留守番電話機能を有するファクシミリ装置、携帯電話装置、ＰＨＳ（Personal Handy phone System）、コピー機、ナビゲーション装置等があげられる。
【図面の簡単な説明】
【００１４】
【図１】本発明の実施例にかかるコードレス電話装置の外観を示す図である。
【図２】本発明の実施例にかかる親機の構成を示すブロック図である。
【図３】本発明の実施例にかかる子機の構成を示すブロック図である。
【図４】本発明の実施例にかかる用件メッセージの格納形態を示す図である。
【図５】本発明の実施例の動作を示すフロー図である。
【図６】メールデータの一例を示す図である。
【符号の説明】
【００１５】
１０・・・・コードレス電話装置
２０・・・・親機
２１・・・・電話回線制御部
２２・・・・音声信号処理部
２３・・・・無線部
２４・・・・制御部
２４１・・・通信圏判別手段
２５・・・・マイク・スピーカ部
２６・・・・操作・表示部
２７・・・・メモリ
２８・・・・アンテナ
２９・・・・録音・再生ユニット
３０・・・・子機
３２・・・・音声信号処理部
３３・・・・無線部
３４・・・・制御部
３５・・・・マイク・スピーカ部
３６・・・・操作・表示部
３６１・・・留守録表示領域
３７・・・・メモリ
３８・・・・アンテナ
Ｎ・・・・・公衆回線
【図１】
2010028155.tif 000003
【図２】
2010028155.tif 000004
【図３】
2010028155.tif 000005
【図４】
2010028155.tif 000006
【図５】
2010028155.tif 000007
【図６】
2010028155.tif 000008